(57)【要約】【課題】Ｆｅｍｔｏ  ＡＰ等の基地局装置の保守管理を保守用端末を用いることなく行えるようにする。【解決手段】無線側データ識別部９は前段の無線側通信部からの受信データが制御データデータかユーザデータかを判定し、制御データデータの場合は制御データ処理インタフェース部１２を通じて制御データ処理部６と通信する。ユーザデータの場合には、ユーザデータ内オペレータ独自のプロトコルスタックをスキャンし、ユーザデータの要求ＵＲＬ情報を監視する。要求ＵＲＬ情報がＦｅｍｔｏ  ＡＰ保守管理用ＵＲＬであった場合は、ユーザデータを保守制御管理インタフェース部１０に送信する。これによりＦｅｍｔｏ  ＡＰの保守制御管理部にデータを引き渡すことで、携帯端末と保守制御管理部間の接続を確立し、Ｆｅｍｔｏ  ＡＰの保守管理を携帯電話の画面を通じて制御できる。【選択図】図１
2010161710.tif 000002
【特許請求の範囲】
【請求項１】
携帯端末と無線通信する無線通信手段と、
前記無線通信手段が受信したデータがユーザデータであるか制御データであるかを判定する判定手段と、
前記判定手段が前記受信データが前記制御データであると判定したとき、前記携帯端末と接続を確立する制御データ処理手段と、
前記判定手段が前記受信データが前記ユーザデータであると判定したとき、そのユーザデータにおける所定のアドレスデータを検出する検出手段と、
当該基地局装置を保守管理するための保守制御データを保持し、前記検出手段が前記所定のアドレスデータを検出したとき、前記保守制御データを前記携帯端末に送信する保守管理手段とを備えたことを特徴とする基地局装置。
【請求項２】
当該基地局装置がＦｅｍｔｏ  ＡＰであることを特徴とする請求項１項記載の基地局装置。
【請求項３】
携帯端末と無線通信する無線通信工程と、
前記無線通信工程により受信したデータがユーザデータであるか制御データであるかを判定する判定工程と、
前記判定工程により前記受信データが前記制御データであると判定したとき、前記携帯端末と接続を確立する制御データ処理工程と、
前記判定工程により前記受信データが前記ユーザデータであると判定したとき、そのユーザデータにおける所定のアドレスデータを検出する検出工程と、
基地局装置を保守管理するための保守制御データを保持し、前記検出工程により前記所定のアドレスデータを検出したとき、前記保守制御データを前記携帯端末に送信する保守管理工程とを備えたことを特徴とする基地局装置の通信方法。
【請求項４】
前記基地局装置がＦｅｍｔｏ  ＡＰであることを特徴とする請求項３項記載の基地局装置の通信方法。
【請求項５】
携帯端末と無線通信する無線通信処理と、
前記無線通信処理により受信したデータがユーザデータであるか制御データであるかを判定する判定処理と、
前記判定処理により前記受信データが前記制御データであると判定したとき、前記携帯端末と接続を確立する制御データ処理と、
前記判定処理により前記ユーザデータと判定したとき、そのユーザデータにおける所定のアドレスデータを検出する検出処理と、
前記検出処理により前記所定のアドレスデータを検出したとき、当該基地局装置を保守管理するための保守制御データを記携帯端末に送信する保守管理処理とをコンピュータに実行させるプログラム。
【発明の詳細な説明】
【技術分野】
【０００１】
本発明はＦｅｍｔｏ  ＡＰ等の基地局装置、その通信方法及びこの方法を実行するためのプログラムに関するものである。
【背景技術】
【０００２】
Ｆｅｍｔｏ  ＡＰ（フェムト・アクセスポイント）は、家庭や小規模オフィス内に設置され、携帯端末と狭い範囲で無線通信する基地局装置であり、屋内に引き込まれているブロードバンド回線を利用して携帯端末からの電波を受信すると共に、携帯端末に電波を送信できるようにした基地局装置である。
【０００３】
図３は従来のＦｅｍｔｏ  ＡＰの構成及びＦｅｍｔｏ  ＡＰを保守管理する場合の構成を示すブロック図である。
図３において、Ｆｅｍｔｏ  ＡＰ１は、携帯電話機等の携帯端末２と通信する無線側通信部３と、無線側通信部３と送受信し、受信データの内容に応じて後段のどの処理部と接続を確立するかを判定するデータ処理部５と、データ処理部５の判定に応じて選択的に接続される保守制御管理部４と制御データ処理部６と、データ処理部５に接続された有線側通信部７とにより構成される。また、Ｆｅｍｔｏ  ＡＰ１を保守管理するローカル保守端末８が有線側通信部７に接続される。制御データ処理部６は携帯端末２とネットワークを接続するための制御信号等を終端する。保守制御管理部４は、Ｆｅｍｔｏ  ＡＰ１の保守制御や、ローカル保守端末８に保守管理制御用のヒューマンインタフェースを提供する。有線側通信部７は、ローカル保守端末８との接続を管理する。
【０００４】
上記の構成において、従来ではＦｅｍｔｏ  ＡＰ１を日常的に保守管理する場合、Ｆｅｍｔｏ  ＡＰ１はローカル保守端末８との接続を確立し、ファームウェアのダウンロード等の保守管理を行う。  
【０００５】
なお、Ｆｅｍｔｏ  ＡＰに関する従来技術として、例えば特許文献１，２がある。
【先行技術文献】
【特許文献】
【０００６】
【特許文献１】特開２００８−３０１０８６号公報
【特許文献２】特開２００８−２２４６５７号公報
【発明の概要】
【発明が解決しようとする課題】
【０００７】
しかしながら、従来のＦｅｍｔｏ  ＡＰ１のファームウェアのダウンロード等の日常の保守管理を行う場合は次のような課題があった。  
第１の課題は、ローカル保守端末８をユーザが別途用意する必要があり、これが無いと保守そのものができない。
第２の課題は、Ｆｅｍｔｏ  ＡＰ１の保守管理はローカル保守端末８からのみ行えるため、ユーザがローカル保守端末８の立ち上げから、Ｆｅｍｔｏ  ＡＰとの接続等の作業を行う必要があり、ユーザの負担が重い。
本発明は、携帯端末にＦｅｍｔｏ  ＡＰの保守制御用のサービス機能を付加することにより利便性の向上を図ることを目的とする。
【課題を解決するための手段】
【０００８】
本発明による基地局装置は、携帯端末と無線通信する無線通信手段と、前記無線通信手段が受信したデータがユーザデータであるか制御データであるかを判定する判定手段と、  前記判定手段が前記受信データが前記制御データであると判定したとき、前記携帯端末と接続を確立する制御データ処理手段と、前記判定手段が前記受信データが前記ユーザデータであると判定したとき、そのユーザデータにおける所定のアドレスデータを検出する検出手段と、当該基地局装置を保守管理するための保守制御データを保持し、前記検出手段が前記所定のアドレスデータを検出したとき、前記保守制御データを前記携帯端末に送信する保守管理手段とを備えたことを特徴とするものである。
【０００９】
本発明による基地局装置の通信方法は、携帯端末と無線通信する無線通信工程と、前記無線通信工程により受信したデータがユーザデータであるか制御データであるかを判定する判定工程と、前記判定工程により前記受信データが前記制御データであると判定したとき、前記携帯端末と接続を確立する制御データ処理工程と、前記判定工程により前記受信データが前記ユーザデータであると判定したとき、そのユーザデータにおける所定のアドレスデータを検出する検出工程と、基地局装置を保守管理するための保守制御データを保持し、前記検出工程により前記所定のアドレスデータを検出したとき、前記保守制御データを前記携帯端末に送信する保守管理工程とを備えたことを特徴とするものである。
【００１０】
本発明によるプログラムは、携帯端末と無線通信する無線通信処理と、前記無線通信処理により受信したデータがユーザデータであるか制御データであるかを判定する判定処理と、前記判定処理により前記受信データが前記制御データであると判定したとき、前記携帯端末と接続を確立する制御データ処理と、前記判定処理により前記ユーザデータと判定したとき、そのユーザデータにおける所定のアドレスデータを検出する検出処理と、前記検出処理により前記所定のアドレスデータを検出したとき、当該基地局装置を保守管理するための保守制御データを記携帯端末に送信する保守管理処理とをコンピュータに実行させるものである。
【発明の効果】
【００１１】
本発明によれば、携帯端末から基地局装置を保守管理することができるので、従来のように保守管理用のローカル端末を別途用意する必要がなくなり、また、それを立ち上げたりする作業も必要がなく、利便性を向上させることができる。
【図面の簡単な説明】
【００１２】
【図１】本発明の実施の形態を示すブロック図である。
【図２】本発明の実施の形態による動作を示すフローチャートである。
【図３】従来のＦｅｍｔｏ  ＡＰの構成及びＦｅｍｔｏ  ＡＰを保守管理する場合の構成を示すブロック図である。
【発明を実施するための形態】
【００１３】
以下、本発明の実施の形態を図面と共に説明する。
本実施の形態は、予めＦｅｍｔｏ  ＡＰ用保守制御用ＵＲＬを決定すると共に、Ｆｅｍｔｏ  ＡＰがオペレータ独自のユーザプレーン用プロトコルを保持することで、データ処理部５において、受信データがユーザデータであることを判定した後、上記オペレータ独自のユーザプレーン用プロトコル上をスキャンニングすることでＦｅｍｔｏ  ＡＰ用保守制御用ＵＲＬがあるかどうかを判定し、Ｆｅｍｔｏ  ＡＰ用保守制御用ＵＲＬであった場合には保守制御管理部４との接続を確立することにより、携帯端末２を用いてＦｅｍｔｏ  ＡＰの保守制御を可能にしたものである。
【００１４】
図１は図３におけるＦｅｍｔｏ  ＡＰ１のデータ処理部５の本発明の実施の形態による構成を示すブロック図である。
図１において、無線データ識別部５は、予めオペレータが規定したユーザプレーン用プロトコルスタックを所有する。また、この無線データ識別部５は、図３の無線側通信部３と送受信するデータを監視し、受信したデータが制御データ（制御プレーンデータ）かユーザデータ（ユーザプレーンデータ）かを識別すると共に、ユーザデータである場合にそのユーザデータの行き先を振り分ける。保守制御管理インタフェース部１０、ユーザデータ処理部１１、制御データ処理インタフェース部１２は、無線データ識別部９の識別に応じて選択的に接続される。また、これらの各部１０，１１，１２は有線側データ識別部１３に接続される。
【００１５】
有線側データ識別部１３は図３の有線側通信部７に接続される。また、保守制御管理インタフェース部１０は図３の保守制御管理部４のインタフェースであり、制御データ処理インタフェース部１２は図３の制御データ処理部６のインタフェースである。また、保守制御管理部４は、Ｆｅｍｔｏ  ＡＰ１を保守管理する保守制御データ等を所有し、これを携帯端末２に送信する機能を有する。
【００１６】
次に、上記構成による動作について説明する。  
図１において、無線側データ識別部５は、図３の無線側通信部３からの受信データが制御データデータか、ユーザデータかを判定する。制御データデータであると判定した場合は、制御データ処理インタフェース部１２を通じて制御データ処理部６と送受信を行い、携帯端末２との接続を確立する。
【００１７】
また、受信データがユーザデータであると判定した場合は、従来ではユーザデータ処理部１１にそのまま送信していたが、本実施の形態では、所有する前記オペレータ独自のプロトコルスタックをスキャンし、ユーザデータの要求ＵＲＬ情報を監視する。要求ＵＲＬ情報が予め決定したＦｅｍｔｏ  ＡＰ保守管理用ＵＲＬであることを検出した場合には、ユーザデータ処理部１１にユーザデータを転送するのではなく、保守制御管理インタフェース部１０を介して保守制御管理部４にユーザデータを引き渡す。これにより携帯端末２と保守制御管理部４との間に接続を確立させ、保守制御管理部４は保守管理操作用画面等の保守制御データを携帯端末２に送信する。この結果、Ｆｅｍｔｏ  ＡＰ１の保守管理を携帯端末２の画面を通じて実行できるようになる。
【００１８】
図２はデータ処理部５の動作を示すフローチャートである。
最初に無線側通信部３から受信するデータのヘッダー情報を確認し（ステップＳ１）、ユーザデータか、制御データかを判定する（ステップＳ２）。判定の結果、制御データの場合は、従来通り制御データ処理インタフェース部１２と接続して送受信させる（ステップＳ３）。
【００１９】
受信データがユーザデータである場合は、ユーザデータ内のオペレータ独自プロトコルを解析し（ステップＳ４）、実際のユーザデータ内の要求される行き先ＵＲＬがＦｅｍｔｏ  ＡＰ保守管理用ＵＲＬであるか否かを判定し（ステップＳ５）、保守管理用ＵＲＬの場合には、保守制御管理インタフェース部１０との接続を確立させる（ステップＳ６）。その他のユーザデータについてはユーザデータ処理部１１と接続を確立させる（ステップＳ７）。
【００２０】
なお、本実施の形態では、Ｆｅｍｔｏ  ＡＰ１の保守制御管理部４により ローカル保守端末８等と図３のように接続すれば、従来と同様にＦｅｍｔｏ  ＡＰ１の保守管理を行うこともできる。
【００２１】
以上説明したように、本実施の形態によれば、保守制御管理部４に保守制御データを持たせると共に、無線データ識別部５が当該基地局装置のアドレスを検出したとき、上記保守制御データを携帯端末２に送信するように構成したので、Ｆｅｍｔｏ  ＡＰ１に一度使用許可が得られた携帯端末２の画面を操作することにより、当該基地局装置の保守管理を行うことができる。
【００２２】
従って、従来のようにＦｅｍｔｏ  ＡＰのユーザがローカル保守端末を別途準備することなく、Ｆｅｍｔｏ  ＡＰの日常の保守管理ができ、利便性を高めることができる。
なお、本発明は、Ｆｅｍｔｏ  ＡＰ、携帯端末と接続するホームゲートウェイ、携帯端末と接続するホームルータ等に利用することができる。
【００２３】
次に、本発明の実施の形態によるプログラム及びコンピュータ読取可能な記録媒体について説明する。
前記実施の形態におけるフローチャートで説明した機能をプログラム化し、予めＲＯＭなどの記録媒体に書き込んでおき、このＲＯＭを画像形成装置に搭載し、そこのＣＰＵやマイクロプロセッサでＲＯＭ内のプログラムを実行することによって、本発明の目的を達成することができる。その場合、上記プログラムおよび記録媒体は本発明によるプログラムおよびコンピュータ読取可能な記録媒体を構成する。記録媒体としては半導体媒体（例えば、ＲＯＭ、不揮発性メモリカード等）、光媒体（例えば、ＤＶＤ、ＭＯ、ＭＤ、ＣＤ−Ｒ等）、磁気媒体（たとえば、磁気テープ、フレキシブルディスク等）のいずれであってもよい。また、ロードしたプログラムの指示に基づき、オペレーティングシステム等が実際の処理の一部又は全部を行い、その処理によって上述した実施の形態の機能が実現される場合も含まれる。さらに、上述したプログラムをサーバコンピュータのＨＤＤ等の記憶装置に格納しておき、ネットワークで接続された利用者のコンピュータからダウンロードして頒布する場合、また、サーバコンピュータから配信して頒布する場合、このサーバコンピュータの記憶装置も本発明の記録媒体に含まれる。このように、本発明の機能をプログラムして、記録媒体に記録し頒布することによって、コスト、可搬性、汎用性を向上させることができる。
【符号の説明】
【００２４】
１  Ｆｅｍｔｏ  ＡＰ
２  携帯端末
３  無線側通信部
４  保守制御管理部
５  データ処理部
６  制御データ処理部
９  無線データ識別部
１０  保守制御管理インタフェース部
１１  ユーザデータ処理部
１２  制御データ処理インタフェース部
【図１】
2010161710.tif 000003
【図２】
2010161710.tif 000004
【図３】
2010161710.tif 000005